(57)【要約】【課題】歩道における、水の蒸発による冷却効果、いわゆる打ち水効果を持続させることができ、かつ歩道の路面排水の有効利用を図ることができるとともに、経済的かつ効率的に街路樹に散水することができる街路樹及び歩道の散水構造を提供することを目的とする。【解決手段】歩道1と、歩道1に沿って設けられた街路樹2と、を備え、歩道1の路面は、街路樹2に向けて水勾配が形成されるとともに、保水性を有するように形成された保水性路面部3と、街路樹2に向けて水勾配が形成されるとともに、非透水性を有するように形成された非透水性路面部4と、を備える。【選択図】図１
2010270506.tif 000002
【特許請求の範囲】
【請求項１】
歩道と、
歩道に沿って設けられた街路樹と、を備え、
歩道の路面は、
街路樹に向けて水勾配が形成されるとともに、保水性を有するように形成された保水性路面部と、
街路樹に向けて水勾配が形成されるとともに、非透水性を有するように形成された非透水性路面部と、を備えることを特徴とする街路樹及び歩道の散水構造。
【請求項２】
歩道の路面の水勾配における高位側に設けられるとともに、歩道の路面に散水する散水手段を備えることを特徴とする請求項１記載の街路樹及び歩道の散水構造。
【請求項３】
歩道と街路樹との境界の位置に設けられるとともに、街路樹を囲うように設けられた縁石を、備え、
縁石のうち、歩道の路面の水勾配における高位側に設けられた高位側縁石には、歩道の路面を流れる水を街路樹に導く貫通孔である導水孔が形成されていることを特徴とする請求項１または請求項２記載の街路樹及び歩道の散水構造。
【発明の詳細な説明】
【技術分野】
【０００１】
本発明は、街路樹及び歩道の散水構造に関し、更に詳しくは、歩道の路面に散水された歩道の路面排水を利用して街路樹に散水する街路樹及び歩道の散水構造に関する。
【背景技術】
【０００２】
従来から、人間が室内において快適に過ごすことができるか否かは、屋内における熱環境が大きな要因を占めることが知られている。また、屋内における熱環境は、屋外における熱環境に影響を受けることも知られている。
近年、夏季における屋外熱環境の悪化の一因として、特に、歩道や車道の路面からの輻射熱が問題となっていた。このような問題に対する対策として、従来から、いわゆる「打ち水」があった。これは地面に散水することで、散水された水が蒸発する際に熱を持ち去る気化熱を利用して地面に蓄積された熱エネルギーを大気中に放出し、気温を下げようとするものであり、高い効果があることが知られている。
【０００３】
しかしながら、歩道や車道などに「打ち水」を行うか否かは、専らそこに住む住人の判断に委ねられるものであった。また、夏季における屋外熱環境の向上を目的として、都市計画として、計画的かつ持続的に、歩道の路面に「打ち水」を行うまでには至っていなかった。
ところで、車道の路面に散水する技術としては、トラックのキャビンルーフ上に設置される水タンクと、トラックの車体下端部に装着される散水バーと、を備える簡易散水装置が知られている（特許文献１参照）。また、歩道の路面に散水する技術としては、水が流れる傾斜した路面を有する路面部と、路面に散水する散水機と、を備える融雪道ユニットが知られている（特許文献２参照）。
【先行技術文献】
【特許文献】
【０００４】
【特許文献１】特開２００７−２３６６０号公報
【特許文献２】特開２００８−２６６９２７号公報
【発明の概要】
【発明が解決しようとする課題】
【０００５】
しかしながら、特許文献１に示す技術は、夏季における屋外熱環境の向上を目的として、運送会社などが保有している既存の商用の運送トラックに車道の路面に散水を行わせるものであるが、都市計画として計画的に車道の路面に散水を行うものではなく、また効率的でもなかった。
また、特許文献２に示す技術は、夏季における屋外熱環境の向上を目的とするものではなかった。
また、特許文献１および特許文献２に示す技術では、路面に散水された路面排水は、その後、何ら利用されるものではなかった。
【０００６】
そこで、各請求項にそれぞれ記載された発明は、上述のような事情に鑑みてなされたものであり、その目的とするところは、次の点にある。
（請求項１）
すなわち、請求項１記載の発明は、歩道における、水の蒸発による冷却効果、いわゆる打ち水効果を持続させることができ、かつ歩道の路面排水の有効利用を図ることができるとともに、経済的かつ効率的に街路樹に散水することができる街路樹及び歩道の散水構造を提供することを目的とする。
（請求項２）
すなわち、請求項２記載の発明は、上記請求項１記載の発明の目的に加え、計画的かつ持続的に歩道の路面に散水することができるとともに、都市計画として計画的に、夏季における屋外熱環境を向上させることができ、ひいては、屋内熱環境を向上させることができる街路樹及び歩道の散水構造を提供することを目的とする。
（請求項３）
すなわち、請求項３記載の発明は、上記請求項１または請求項２記載の発明の目的に加え、歩道の路面排水を利用して街路樹に散水する際に、歩道の路面から街路樹周辺の地面に流入する水の流れおよび流量をコントロールすることができるとともに、より効率的に街路樹に散水することができる街路樹及び歩道の散水構造を提供することを目的とする。
【課題を解決するための手段】
【０００７】
請求項に記載された発明は、上記した各目的を達成するためになされたものであり、各発明の特徴点を図面に示した発明の実施の形態を用いて、以下に説明する。
なお、符号は、発明の実施の形態において用いた符号を示し、本発明の技術的範囲を限定するものではない。
（請求項１）
請求項１記載の発明は、歩道1と、歩道1に沿って設けられた街路樹2と、を備え、歩道1の路面は、街路樹2に向けて水勾配が形成されるとともに、保水性を有するように形成された保水性路面部3と、街路樹2に向けて水勾配が形成されるとともに、非透水性を有するように形成された非透水性路面部4と、を備えることを特徴とする。
【０００８】
ここで、「保水性路面部」は、街路樹2に向けて水勾配が形成されるとともに、保水性を有するように形成されるものである。たとえば、「保水性路面部」は、路面に、保水性の路面舗装材を敷設することで、形成することができる。また、たとえば、「保水性路面部」は、舗装していない土などの地面としても良い。
また、「非透水性路面部」は、街路樹2に向けて水勾配が形成されるとともに、非透水性を有するように形成されるものである。たとえば、「非透水性路面部」は、路面に、非透水性の路面舗装材を敷設することで、形成することができる。
本発明に係る街路樹2及び歩道1の散水構造において、たとえば、打ち水や、雨などにより歩道1の保水性路面部3に散水された水は、歩道1の保水性路面部3の水勾配により街路樹2に向けて流れるとともに、保水性路面部3を形成する、たとえば、保水性の路面舗装材などにより保水される。これにより、歩道1における、水の蒸発による冷却効果、いわゆる打ち水効果を持続させることができる。
【０００９】
また、本発明に係る街路樹2及び歩道1の散水構造において、たとえば、打ち水や、雨などにより歩道1の非透水性路面部4に散水された水は、歩道1の非透水性路面部4の水勾配により街路樹2に向けて流れ、街路樹2周辺の地面に流入する。これにより、歩道1の路面排水の有効利用を図ることができるとともに、経済的かつ効率的に街路樹2に散水することができる。
（請求項２）
請求項２記載の発明は、上記請求項１記載の発明の特徴に加え、歩道1の路面の水勾配における高位側に設けられるとともに、歩道1の路面に散水する散水手段5を備えることを特徴とする。
【００１０】
ここで、本発明に好適な「歩道」としては、たとえば、以下の条件に該当するものが挙げられる。
（１）夏季において、路面温度が高温となる歩道
（２）夏季において、風路となる歩道
上記（１）または（２）の条件に該当する歩道の路面に散水することで、都市計画として計画的に、夏季における屋外熱環境を向上させることができる。
また、「散水手段」は、歩道1の路面の水勾配における高位側に設けられるとともに、歩道1の路面に散水するものである。たとえば、「散水手段」は、歩道1の路面の水勾配における高位側に、歩道1に沿って散水管6を設け、当該散水管6に間隔を設けて形成した散水孔から水を吐出させて、歩道1の路面に散水するようにすることができる。また、たとえば、「散水手段」は、歩道1に沿って間隔を設けて設置したスプリンクラーにより、歩道1の路面に散水するようにすることができる。
【００１１】
本発明に係る街路樹2及び歩道1の散水構造において、散水手段5は、たとえば、夏季において、路面温度が高温となる歩道や、夏季において、風路となる歩道などに設けられる。これにより、計画的かつ持続的に歩道1の路面に散水することができるとともに、都市計画として計画的に、夏季における屋外熱環境を向上させることができ、ひいては、屋内熱環境を向上させることができる。
（請求項３）
請求項３記載の発明は、上記請求項１または請求項２記載の発明の特徴に加え、歩道1と街路樹2との境界の位置に設けられるとともに、街路樹2を囲うように設けられた縁石7を、備え、縁石7のうち、歩道1の路面の水勾配における高位側に設けられた高位側縁石8には、歩道1の路面を流れる水を街路樹2に導く貫通孔である導水孔14が形成されていることを特徴とする。
【００１２】
本発明に係る街路樹2及び歩道1の散水構造において、たとえば、散水手段5により歩道1の非透水性路面部4に散水された水は、歩道1の非透水性路面部4の水勾配により街路樹2に向けて流れる。かかる場合に、歩道1の路面を流れてきた水は、高位側縁石8に形成された導水孔14を通り、街路樹2周辺の地面に流入する。これにより、歩道1の路面から街路樹2周辺の地面に流入する水の流れおよび流量をコントロールすることができるとともに、より効率的に街路樹2に散水することができる。
【発明の効果】
【００１３】
本発明は、以上のように構成されているので、以下に記載されるような効果を奏する。
（請求項１）
すなわち、請求項１記載の発明は、歩道における、水の蒸発による冷却効果、いわゆる打ち水効果を持続させることができ、かつ歩道の路面排水の有効利用を図ることができるとともに、経済的かつ効率的に街路樹に散水することができる街路樹及び歩道の散水構造を提供することができる。
（請求項２）
すなわち、請求項２記載の発明は、上記請求項１記載の発明の効果に加え、計画的かつ持続的に歩道の路面に散水することができるとともに、都市計画として計画的に、夏季における屋外熱環境を向上させることができ、ひいては、屋内熱環境を向上させることができる街路樹及び歩道の散水構造を提供することを目的とする。
【００１４】
また、本発明は、都市部において実施することで、ヒートアイランド現象の緩和を図ることができる。
（請求項３）
すなわち、請求項３記載の発明は、上記請求項１または請求項２記載の発明の目的に加え、歩道の路面排水を利用して街路樹に散水する際に、歩道の路面から街路樹周辺の地面に流入する水の流れおよび流量をコントロールすることができるとともに、より効率的に街路樹に散水することができる街路樹及び歩道の散水構造を提供することを目的とする。
【図面の簡単な説明】
【００１５】
【図１】本発明の実施の形態であって、街路樹及び歩道の散水構造を示す斜視図である。
【図２】本発明の実施の形態であって、中高位側縁石を示す拡大図である。
【発明を実施するための形態】
【００１６】
以下、本発明の実施の形態を図面を参照しつつ説明する。
（歩道1）
本実施の形態に係る街路樹2及び歩道1の散水構造は、図１に示すように、車道15と歩道1とを有する道路に適用される。具体的には、歩道1は、車道15の脇に車道15に沿って設けられている。なお、本実施の形態に係る歩道1は、たとえば、夏季において、路面温度が高温となる歩道や、夏季において、風路となる歩道などであることが望ましい。
また、歩道1における車道15側には、図１に示すように、歩道1に沿って街路樹2が設けられている。
【００１７】
また、歩道1の路面は、図１に示すように、街路樹2に向けて水勾配が形成されるとともに、保水性を有するように形成された保水性路面部3と、街路樹2に向けて水勾配が形成されるとともに、非透水性を有するように形成された非透水性路面部4と、を備えている。
本実施の形態において、保水性路面部3は、路面に、保水性の路面舗装材が敷設されることで、形成されている。また、非透水性路面部4は、路面に、非透水性の路面舗装材を敷設することで、形成されている。具体的には、非透水性路面部4は、歩道1の路面を流れる水を街路樹2周辺の地面に流入させるための流路を構成するように形成されている。
なお、保水性の路面舗装材および非透水性の路面舗装材は、公知のものを適用することができる。
【００１８】
また、歩道1の路面の水勾配における高位側には、図１に示すように、歩道1の路面に散水する散水手段5が設けられている。
また、歩道1と街路樹2との境界の位置には、図１に示すように、街路樹2を囲うように縁石7が設けられている。
（散水手段5）
散水手段5は、歩道1の路面の水勾配における高位側に設けられるとともに、歩道1の路面に散水するものである。具体的には、散水手段5は、図１に示すように、歩道1の路面の水勾配における高位側に、歩道1に沿って設けられた散水管6により構成されている。散水管6は、特に図示しないが、その側部であって、歩道1の路面の水勾配における下位側の側部に、間隔を設けて散水孔が形成されており、当該散水孔から水が吐出されて、歩道1の路面、すなわち保水性路面部3および非透水性路面部4に散水が行われるものとなっている。なお、散水手段5は、側部に間隔を設けて形成された散水孔を有するホースなどとしても良い。
【００１９】
また、本実施の形態において、散水手段5が散水する水は、特に図示しないが、上水道から引き込み使用するものとなっている。具体的には、散水管6の一端は、上水道に連通しており、散水管6の他端は、下水道に連通している。
また、本実施の形態において、散水管6と上水道との間には、特に図示しないが、開閉弁が設けられており、この開閉弁が開口することで、上水道から散水管6に水が供給されるものとなっている。
また、本実施の形態において、開閉弁は、図示しない制御装置により開閉を自動的に行うように構成されている。具体的には、散水手段5は、特に図示しないが、歩道1の路面温度を検出する温度センサと、温度センサが検出する温度により開閉弁の開閉を制御する制御装置と、を備える。そして、制御装置は、温度センサが検出する歩道1の路面温度が所定の温度（たとえば、４０度）以上のときには、開閉弁を開口するとともに、温度センサが検出する歩道1の路面温度が所定の温度（たとえば、４０度）未満のときには、開閉弁を閉口するものとなっている。
【００２０】
なお、制御装置は、開閉弁を開口した後、所定の時間（たとえば、５分）経過しても、温度センサが検出する歩道1の路面温度が所定の温度（たとえば、４０度）未満にならないときには、開閉弁を閉口し、その後、所定の時間（たとえば、３０分）経過後の温度センサが検出する歩道1の路面温度により、開閉弁の開閉を制御するものとなっている。
ここで、開閉弁、温度センサおよび制御装置は、公知のものを適用することができる。また、開閉弁は、他の条件（たとえば、気温や湿度や時刻）に基づいて開閉するようにしても良く、あるいは人間が手で開閉するようにしても良い。
（縁石7）
縁石7は、歩道1と街路樹2との境界の位置に設けられるとともに、街路樹2を囲うように設けられるものである。
【００２１】
本実施の形態において、縁石7は、図１に示すように、上方視矩形状となるように、街路樹2の周囲に設けられている。また、各縁石7は、略直方体状に形成されている。
また、縁石7のうち、歩道1の路面の水勾配における高位側に設けられた高位側縁石8には、歩道1の路面を流れる水を街路樹2に導く貫通孔である導水孔14が形成されている。具体的には、高位側縁石8は、歩道1の路面の水勾配における高位側から見て左側に位置する左高位側縁石9と、歩道1の路面の水勾配における高位側から見て右側に位置する右高位側縁石11と、左高位側縁石9および右高位側縁石11の間に位置する中高位側縁石10と、を備え、これらが直線状に並設されている。
【００２２】
そして、中高位側縁石10には、図２に示すように、歩道1の路面の水勾配における高位側に位置する表面12と、歩道1の路面の水勾配における下位側に位置する裏面13とを貫通する導水孔14が、下端部に、４つ並列して形成されている。
同様に、左高位側縁石9には、図１に示すように、歩道1の路面の水勾配における高位側に位置する表面と、歩道1の路面の水勾配における下位側に位置する裏面とを貫通する導水孔14が、歩道1の路面の水勾配における高位側から見て右端部付近の下端部に、１つ形成されている。
また、同様に、右高位側縁石11には、図１に示すように、歩道1の路面の水勾配における高位側に位置する表面と、歩道1の路面の水勾配における下位側に位置する裏面とを貫通する導水孔14が、歩道1の路面の水勾配における高位側から見て左端部付近の下端部に、１つ形成されている。
【００２３】
なお、導水孔14は、高位側縁石8を構成する、左高位側縁石9、中高位側縁石10および右高位側縁石11の全てに形成されていなくても良く、たとえば、中高位側縁石10にのみ形成されるようにしても良い。
（作用・効果）
本実施の形態に係る街路樹2及び歩道1の散水構造では、歩道1の路面温度が所定の温度（たとえば、４０度）以上となると、開閉弁が開口し、上水道から散水管6に水が供給され、散水管6により歩道1の路面に散水が行われる。そして、この散水により、歩道1の路面温度が所定の温度（たとえば、４０度）未満となると、開閉弁が閉口し、上水道から散水管6への水の供給が遮断され、歩道1の路面への散水が終了する。なお、開閉弁の開口後、所定の時間（たとえば、５分）経過しても、歩道1の路面温度が所定の温度（たとえば、４０度）未満にならないときにも、開閉弁は閉口し、歩道1の路面への散水は終了する。
【００２４】
以上より、計画的かつ持続的に歩道1の路面に散水することができるとともに、都市計画として計画的に、夏季における屋外熱環境を向上させることができ、ひいては、屋内熱環境を向上させることができる。
また、歩道1の路面のうち、保水性路面部3に散水された水は、歩道1の保水性路面部3の水勾配により街路樹2に向けて流れるとともに、保水性路面部3を形成する保水性の路面舗装材により保水される。
また、歩道1の路面のうち、非透水性路面部4に散水された水は、歩道1の非透水性路面部4の水勾配により、街路樹2に向けて流れる。そして、歩道1の路面を流れてきた水は、高位側縁石8に形成された導水孔14を通り、街路樹2周辺の地面に流入する。
【００２５】
以上より、歩道1における、水の蒸発による冷却効果、いわゆる打ち水効果を持続させることができ、かつ歩道1の路面排水の有効利用を図ることができるとともに、経済的かつ効率的に街路樹2に散水することができる。
また、本実施の形態に係る街路樹2及び歩道1の散水構造では、導水孔14の大きさ、数などにより、歩道1の路面から街路樹2周辺の地面に流入する水の流れおよび流量をコントロールすることができる。たとえば、導水孔14の大きさ、数によって、大雨時などに、大量の水が、歩道1の路面から街路樹2周辺の地面に流入しないようにすることができる。また、たとえば、導水孔14を形成する位置によって、歩道1の路面から街路樹2周辺の地面に流入する水の流れをコントロールすることができ、確実に街路樹2に水を供給することができる。
【００２６】
以上より、歩道1の路面排水を利用して街路樹2に散水する際に、歩道1の路面から街路樹2周辺の地面に流入する水の流れおよび流量をコントロールすることができるとともに、より効率的に街路樹2に散水することができる。
なお、本実施の形態の街路樹2及び歩道1の散水構造を都市部において実施することで、ヒートアイランド現象の緩和を図ることができる。
（他の実施の形態）
本発明は、上述した実施の形態に限定されるものではなく、本発明の目的を達成できる範囲における変形および改良なども含むものである。
【００２７】
また、上記実施の形態において、散水手段5は、散水管6により構成されているが、スプリンクラーなどにより構成するようにしても良い。
また、上記実施の形態において、散水手段5が散水する水は、上水道から引き込み使用するものであるが、これに限定されるものではない。たとえば、散水手段5が散水する水は、海、河川または下水道などから、引き込み使用するようにしても良い。すなわち、散水手段5が散水する水は、本発明を適用する場所によって、適宜、選択して、引き込み使用することとができる。なお、かかる場合に、散水手段5が散水する水は、衛生面を考慮して、浄化処理されているようにしても良い。
【００２８】
また、上記実施の形態において、散水手段5は、主として、歩道1の路面温度が上昇する夏季に、散水を行うものであるが、冬季、具体的には降雪時にも、融雪を目的として、歩道1の路面に散水を行うようにしても良い。
また、上記実施の形態において、歩道1と街路樹2との境界の位置には、縁石7が設けられているが、縁石7を設けることなく、歩道1の路面を流れてきた水が、街路樹2周辺の地面に直接流入するようにしても良い。
【符号の説明】
【００２９】
1  歩道                              2  街路樹
3  保水性路面部                      4  非透水性路面部
5  散水手段                          6  散水管
7  縁石                              8  高位側縁石
9  左高位側縁石                      10 中高位側縁石
11 右高位側縁石                      12 表面
13 裏面                              14 導水孔
15 車道
【図１】
2010270506.tif 000003
【図２】
2010270506.tif 000004